(57)【要約】【課題】本発明は全自動的に朱油を補充できて全自動的に押印できる知能装置を開示した。【解決手段】主にベース及び支え柱を含み、前記ベースの上端面には紙を移動させられる移動機構が設置され、前記支え柱の上端には駆動ブロックが固定され、前記駆動ブロックの中には押印機構が設置され、前記押印機構の左側には前記押印機構の下降を段階的に制御できる伝動機構が設置され、本願発明装置を利用して押印する時、自動的に、且つ段階的に朱油を補充でき、押印する時に印影がはっきり見えることを保証し、押印品質を上げ、機械の伝動を介して押印効率を向上させる。【選択図】図１
2020199756.tif 000002
【特許請求の範囲】
【請求項１】
主にベース及び支え柱を含み、前記ベースの上端面には紙を移動させられる移動機構が設置され、前記支え柱の上端には駆動ブロックが固定され、前記駆動ブロックの中には押印機構が設置され、
前記押印機構の左側には前記押印機構の下降を段階的に制御できる伝動機構が設置され、前記伝動機構は伝動空間を含み、前記伝動空間の後端壁にはモーターが固定され、前記モーターの前端には回転軸が伝動できるように連結され、前記回転軸の前端には回転車が固定され、前記伝動空間の後端壁にはまた伝動軸が回転できるように連結され、前記伝動軸の前端には伝動輪が固定され、前記伝動輪の中には外部空間に連通した第一環状空間が設置され、前記回転車の中には第二環状空間が設置され、前記第一環状空間の中には二つの環状挟み板及び前記環状挟み板を復帰させられる四つの伸縮ばねが設置され、前記第一環状空間の中には二つの前記環状挟み板にきつく挟まれたスライドブロックが設置され、前記スライドブロックの上端には前記押印機構を引き動かすことができるロープが固定され、前記第二環状空間の前後端壁にはいずれも二つの凸起点が付いている環状突き出し板が固定され、前記伝動空間の中には一端が前記第一環状空間の中に位置し、且つもう一端が前記第二環状空間の中に位置する液圧ブロックが設置され、前記液圧ブロックの中には前記液圧ブロックの前後端面を貫通した二つの液圧空間は設置され、前記液圧空間の中には二本の液圧ロッドが設置され、二本の前記液圧ロッドが圧縮ばねによって連結され、左側の前記液圧ロッドの一端が前記第一環状空間の中に位置し、且つ前記環状挟み板と接触し、右側の前記液圧ロッドの一端が前記第二環状空間の中に位置し、且つ前記環状突き出し板と接触し、前記伝動輪が回転することで前記回転車を回転連動させ、そして前記スライドブロックが下降し、前記ロープを介して前記押印機構を引き動かして押印を行い、前記環状突き出し板の凸起点が右側の前記液圧ロッドを前記液圧空間の中に押した後、左側の前記液圧ロッドが突き出され、そして前記環状挟み板が前記スライドブロックを挟まなくなり、前記押印機構が復帰して自動的に上下移動して押印でき、
前記伝動空間の下側には前記伝動機構に制御される従動機構が設置され、前記スライドブロックが毎回上下に運動する過程に、前記従動機構の運動を制御して前記押印機構に朱油を補充することを特徴とする全自動的に朱油を補充できて全自動的に押印できる知能装置。
【請求項２】
前記移動機構は前記ベースの上端面に固定された二つに支え板を含み、二つの前記支え板の左端の間には止め板が固定され、前記支え板の中には外部空間に連通した二つの昇降溝が形成され、前記昇降溝の中には昇降ブロック及び前記昇降ブロックを復帰させられる昇降ばねが設置され、前後二つの前記昇降ブロックが従動軸を介して連結され、前記従動軸の前後両端にはいずれも従動輪が固定され、右側の前記従動輪の後側には後側の前記昇降ブロックの中に位置し、且つ前記従動軸と伝動できるように連結された回転モーターが設置され、右側の前記支え板の上端には紙に印影があるかどうかを検査できる検知器が設置されていることを特徴とする請求項１に記載の全自動的に朱油を補充できて全自動的に押印できる知能装置。
【請求項３】
前記押印機構は外部空間に連通した上げ空間を含み、前記上げ空間の中には上げブロック及び前記上げブロックを復帰させられる上げばねが設置され、前記上げ空間の中には下方に開口した収納空間が設置され、前記収納空間の中には下端が外部空間に位置する上げロッド及び前記上げロッドを復帰させられる連結ばねが設置され、前記ロープの上端が前記伝動空間の上端壁と前記上げ空間の下端壁とを貫通し、且つ前記上げブロックと固定的に連結され、前記上げロッドの中には下方に開口した挟み空間が設置され、前記挟み空間の上端壁の中には押圧空間が設置され、前記押圧空間の中には押圧板及び前記押圧板を復帰させられる二つの押圧ばねが設置され、前記挟み空間の中には押圧ブロックが設置され、且つ前記押圧ブロックの上端には上端が前記押圧板と連結された押圧ロッドが固定され、前記挟み空間の左右端壁の中にはいずれも前記挟み空間に連通したばね空間が設置され、前記挟み空間の中には下端が外部空間に位置する印鑑が設置され、前記ばね空間の中には前記印鑑を挟める台形ブロック及び前記台形ブロックを復帰させられる復帰ばねが設置され、前記挟み空間の左右端壁の中にはいずれも前記挟み空間に連通した突き出し空間が設置され、前記突き出し空間の中には一端が前記挟み空間の中に位置し、且つ前記印鑑を挟める或いは制限できる台形ロッドが設置され、前記突き出し空間の中にはまた前記台形ロッドを復帰させられる制限ばねが設置され、右側の前記突き出し空間の下端壁の中には外部空間に連通した押し空間が設置され、前記押し空間の中には一端が外部空間に位置する押しロッドが設置され、前記押しロッドの左端には左端がそれぞれ二本の前記台形ロッドの一端と連結された二つの鎖が設置されていることを特徴とする請求項１に記載の全自動的に朱油を補充できて全自動的に押印できる知能装置。
【請求項４】
二つの前記環状挟み板が前記スライドブロックをきつく挟んだ時に、二つの前記環状挟み板と前記スライドブロックとの間の摩擦力は前記上げばねの弾力より大きく、前記環状挟み板と前記第一環状空間との間の摩擦力は前記伝動輪に前記環状挟み板を回転させることに充分であり、前記伝動軸の後端と前記回転軸の後端とにはいずれも摩擦輪が設置され、且つ二つの前記摩擦輪が互いに接触することを特徴とする請求項３に記載の全自動的に朱油を補充できて全自動的に押印できる知能装置。
【請求項５】
前記従動機構は上方に開口した電磁空間を含み、前記電磁空間の中には磁石板及び前記磁石板と吸引し合う電磁石が設置され、前記磁石板の上側には上端が前記伝動空間の中に位置する移動ブロックが設置され、前記移動ブロックの中には上方に開口した位置制限溝が形成され、前記伝動空間の下端壁には上端が前記第一環状空間の中に位置する固定ロッドが固定され、前記固定ロッドの下端には前記固定ロッドを貫通し、且つ前記固定ロッドとスライドできるように連結されたスライドロッドが設置され、前記スライドロッドの左端には上端が前記第一環状空間の中に位置するスライド板が固定され、前記固定ロッドの上端には右端が前記伝動空間の中に位置する固定板が固定され、前記固定板の右端の中には前記固定板を貫通し、且つ下端が前記位置制限溝の中に位置する位置制限ロッドが設置され、前記位置制限ロッドの上端には上端が前記固定板を貫通し、且つ前記スライドロッドの右端と連結された細紐が固定され、前記電磁空間の下端壁の中には外部空間に連通した平行移動空間が設置され、前記平行移動空間の中には平行移動ブロック及び前記平行移動ブロックを復帰させられる平行移動ばねが設置され、前記平行移動ブロックの左端には左端が前記移動ブロックの右端と連結された鋼線が固定され、前記平行移動ブロックの下端には下端が外部空間に位置する平行移動ロッドが固定され、前記平行移動ロッドの下端には朱肉が置かれた平行移動板が固定されていることを特徴とする請求項２に記載の全自動的に朱油を補充できて全自動的に押印できる知能装置。
【請求項６】
前記スライドブロックと二つの前記環状挟み板との間の摩擦力は前記スライドロッドと前記固定ロッドとの間の摩擦力よりもっと大きく、前記スライドブロックが前記スライド板と接触した後前記スライド板を右方に等速運動させ、この時に左右二つの前記摩擦輪の回転速度が等しくないことを特徴とする請求項５に記載の全自動的に朱油を補充できて全自動的に押印できる知能装置。
【請求項７】
前記従動輪が紙を右方に運動させる時に、前記従動輪と接触していない紙を右方に運動させないことを特徴とする請求項２に記載の全自動的に朱油を補充できて全自動的に押印できる知能装置。
【請求項８】
前記平行移動ばねの弾力は前記移動ブロックと前記磁石板との間の摩擦力よりはるかに大きいことを特徴とする請求項５に記載の全自動的に朱油を補充できて全自動的に押印できる知能装置。
【発明の詳細な説明】
【技術分野】
【０００１】
本願発明は押印分野に関わり、具体的には全自動的に朱油を補充できて全自動的に押印できる知能装置である。
【背景技術】
【０００２】
会社は文書を処理する時に、一般に会社を代表する会社実印を文書に押す必要があり、しかし、現在、多くの文書に印鑑を押す時、人工操作で押印すれば、労働力を費やし、印鑑を間違えたり文書を漏らしたりする恐れがあり、そのため、会社に損害を与える。
現在、自動的に押印できる機器がすでに存在している。しかし、このような機械は、印鑑を押す時に朱油を補充する時間間隔が長すぎ、或いは手動で操作する必要があり、朱油を補充できない状況もある。その故、押印する時に印影がはっきりではなくて押印品質を下げる。
【先行技術文献】
【特許文献】
【０００３】
【特許文献１】中国特許出願公開第１０４１７５７３１号明細書
【発明の概要】
【発明が解決しようとする課題】
【０００４】
本願発明の解決しようとする技術問題は全自動的に朱油を補充できて全自動的に押印できる知能装置を提供し、押印効率が低くて印影がはっきりしないなど問題を解決し、押印効率と押印効果を向上させるのである。
【課題を解決するための手段】
【０００５】
本願発明は以下の技術プランによって実現される。
【０００６】
本願発明の全自動的に朱油を補充できて全自動的に押印できる知能装置は、主にベース及び支え柱を含み、前記ベースの上端面には紙を移動させられる移動機構が設置され、前記支え柱の上端には駆動ブロックが固定され、前記駆動ブロックの中には押印機構が設置されている。
【０００７】
前記押印機構の左側には前記押印機構の下降を段階的に制御できる伝動機構が設置され、前記伝動機構は伝動空間を含み、前記伝動空間の後端壁にはモーターが固定され、前記モーターの前端には回転軸が伝動できるように連結され、前記回転軸の前端には回転車が固定され、前記伝動空間の後端壁にはまた伝動軸が回転できるように連結され、前記伝動軸の前端には伝動輪が固定され、前記伝動輪の中には外部空間に連通した第一環状空間が設置され、前記回転車の中には第二環状空間が設置され、前記第一環状空間の中には二つの環状挟み板及び前記環状挟み板を復帰させられる四つの伸縮ばねが設置され、前記第一環状空間の中には二つの前記環状挟み板にきつく挟まれたスライドブロックが設置され、前記スライドブロックの上端には前記押印機構を引き動かすことができるロープが固定され、前記第二環状空間の前後端壁にはいずれも二つの凸起点が付いている環状突き出し板が固定され、前記伝動空間の中には一端が前記第一環状空間の中に位置し、且つもう一端が前記第二環状空間の中に位置する液圧ブロックが設置され、前記液圧ブロックの中には前記液圧ブロックの前後端面を貫通した二つの液圧空間は設置され、前記液圧空間の中には二本の液圧ロッドが設置され、二本の前記液圧ロッドが圧縮ばねによって連結され、左側の前記液圧ロッドの一端が前記第一環状空間の中に位置し、且つ前記環状挟み板と接触し、右側の前記液圧ロッドの一端が前記第二環状空間の中に位置し、且つ前記環状突き出し板と接触し、前記伝動輪が回転することで前記回転車を回転連動させ、そして前記スライドブロックが下降し、前記ロープを介して前記押印機構を引き動かして押印を行い、前記環状突き出し板の凸起点が右側の前記液圧ロッドを前記液圧空間の中に押した後、左側の前記液圧ロッドが突き出され、そして前記環状挟み板が前記スライドブロックを挟まなくなり、前記押印機構が復帰して自動的に上下移動して押印できる。
【０００８】
前記伝動空間の下側には前記伝動機構に制御される従動機構が設置され、前記スライドブロックが毎回上下に運動する過程に、前記従動機構の運動を制御して前記押印機構に朱油を補充する。
【０００９】
さらに、前記移動機構は前記ベースの上端面に固定された二つに支え板を含み、二つの前記支え板の左端の間には止め板が固定され、前記支え板の中には外部空間に連通した二つの昇降溝が形成され、前記昇降溝の中には昇降ブロック及び前記昇降ブロックを復帰させられる昇降ばねが設置され、前後二つの前記昇降ブロックが従動軸を介して連結され、前記従動軸の前後両端にはいずれも従動輪が固定され、右側の前記従動輪の後側には後側の前記昇降ブロックの中に位置し、且つ前記従動軸と伝動できるように連結された回転モーターが設置され、右側の前記支え板の上端には紙に印影があるかどうかを検査できる検知器が設置されている。
【００１０】
さらに、前記押印機構は外部空間に連通した上げ空間を含み、前記上げ空間の中には上げブロック及び前記上げブロックを復帰させられる上げばねが設置され、前記上げ空間の中には下方に開口した収納空間が設置され、前記収納空間の中には下端が外部空間に位置する上げロッド及び前記上げロッドを復帰させられる連結ばねが設置され、前記ロープの上端が前記伝動空間の上端壁と前記上げ空間の下端壁とを貫通し、且つ前記上げブロックと固定的に連結され、前記上げロッドの中には下方に開口した挟み空間が設置され、前記挟み空間の上端壁の中には押圧空間が設置され、前記押圧空間の中には押圧板及び前記押圧板を復帰させられる二つの押圧ばねが設置され、前記挟み空間の中には押圧ブロックが設置され、且つ前記押圧ブロックの上端には上端が前記押圧板と連結された押圧ロッドが固定され、前記挟み空間の左右端壁の中にはいずれも前記挟み空間に連通したばね空間が設置され、前記挟み空間の中には下端が外部空間に位置する印鑑が設置され、前記ばね空間の中には前記印鑑を挟める台形ブロック及び前記台形ブロックを復帰させられる復帰ばねが設置され、前記挟み空間の左右端壁の中にはいずれも前記挟み空間に連通した突き出し空間が設置され、前記突き出し空間の中には一端が前記挟み空間の中に位置し、且つ前記印鑑を挟める或いは制限できる台形ロッドが設置され、前記突き出し空間の中にはまた前記台形ロッドを復帰させられる制限ばねが設置され、右側の前記突き出し空間の下端壁の中には外部空間に連通した押し空間が設置され、前記押し空間の中には一端が外部空間に位置する押しロッドが設置され、前記押しロッドの左端には左端がそれぞれ二本の前記台形ロッドの一端と連結された二つの鎖が設置されている。
【００１１】
さらに、二つの前記環状挟み板が前記スライドブロックをきつく挟んだ時に、二つの前記環状挟み板と前記スライドブロックとの間の摩擦力は前記上げばねの弾力より大きく、前記環状挟み板と前記第一環状空間との間の摩擦力は前記伝動輪に前記環状挟み板を回転させることに充分であり、前記伝動軸の後端と前記回転軸の後端とにはいずれも摩擦輪が設置され、且つ二つの前記摩擦輪が互いに接触する。
【００１２】
さらに、前記従動機構は上方に開口した電磁空間を含み、前記電磁空間の中には磁石板及び前記磁石板と吸引し合う電磁石が設置され、前記磁石板の上側には上端が前記伝動空間の中に位置する移動ブロックが設置され、前記移動ブロックの中には上方に開口した位置制限溝が形成され、前記伝動空間の下端壁には上端が前記第一環状空間の中に位置する固定ロッドが固定され、前記固定ロッドの下端には前記固定ロッドを貫通し、且つ前記固定ロッドとスライドできるように連結されたスライドロッドが設置され、前記スライドロッドの左端には上端が前記第一環状空間の中に位置するスライド板が固定され、前記固定ロッドの上端には右端が前記伝動空間の中に位置する固定板が固定され、前記固定板の右端の中には前記固定板を貫通し、且つ下端が前記位置制限溝の中に位置する位置制限ロッドが設置され、前記位置制限ロッドの上端には上端が前記固定板を貫通し、且つ前記スライドロッドの右端と連結された細紐が固定され、前記電磁空間の下端壁の中には外部空間に連通した平行移動空間が設置され、前記平行移動空間の中には平行移動ブロック及び前記平行移動ブロックを復帰させられる平行移動ばねが設置され、前記平行移動ブロックの左端には左端が前記移動ブロックの右端と連結された鋼線が固定され、前記平行移動ブロックの下端には下端が外部空間に位置する平行移動ロッドが固定され、前記平行移動ロッドの下端には朱肉が置かれた平行移動板が固定されている。
【００１３】
さらに、前記スライドブロックと二つの前記環状挟み板との間の摩擦力は前記スライドロッドと前記固定ロッドとの間の摩擦力よりもっと大きく、前記スライドブロックが前記スライド板と接触した後前記スライド板を右方に等速運動させ、この時に左右二つの前記摩擦輪の回転速度が等しくない。
【００１４】
さらに、前記従動輪が紙を右方に運動させる時に、前記従動輪と接触していない紙を右方に運動させない。
【００１５】
さらに、前記平行移動ばねの弾力は前記移動ブロックと前記磁石板との間の摩擦力よりはるかに大きい。
【発明の効果】
【００１６】
本発明の有益な効果は：本願発明装置は構造が簡単で、操作が便利である。本願発明装置を利用して押印する時、自動的に、且つ段階的に朱油を補充でき、押印する時に印影がはっきり見えることを保証し、押印品質を上げ、機械の伝動を介して押印効率を向上させる。
【図面の簡単な説明】
【００１７】
下記に図１〜７をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１８】
【図１】図１は本願発明実施例の構成概略図
【図２】図２は本願発明実施例におけるＡ―Ａの構成概略図
【図３】図３は本願発明実施例におけるＢ―Ｂの構成概略図
【図４】図４は本願発明実施例における環状突き出し板の上面概略図
【図５】図５は本願発明実施例における液圧ブロックの全断面の上面拡大構成概略図
【図６】図６は本願発明実施例におけるＣ―Ｃの構成概略図
【図７】図７は本願発明実施例における押印機構の部分断面の正面拡大構成概略図
【発明を実施するための形態】
【００１９】
付図１〜７に記載の全自動的に朱油を補充できて全自動的に押印できる知能装置の機械構成図をあわせて、本願発明の全自動的に朱油を補充できて全自動的に押印できる知能装置は、主にベース１及び支え柱２を含み、前記ベース１の上端面には紙を移動させられる移動機構７１が設置され、前記支え柱２の上端には駆動ブロック８が固定され、前記駆動ブロック８の中には押印機構７０が設置され、前記押印機構７０の左側には前記押印機構７０の下降を段階的に制御できる伝動機構６９が設置され、前記伝動機構６９は伝動空間７を含み、前記伝動空間７の後端壁にはモーター４７が固定され、前記モーター４７の前端には回転軸１５が伝動できるように連結され、前記回転軸１５の前端には回転車１４が固定され、前記伝動空間７の後端壁にはまた伝動軸５が回転できるように連結され、前記伝動軸５の前端には伝動輪９が固定され、前記伝動輪９の中には外部空間に連通した第一環状空間４６が設置され、前記回転車１４の中には第二環状空間４６が設置され、前記第一環状空間４６の中には二つの環状挟み板６及び前記環状挟み板６を復帰させられる四つの伸縮ばね５０が設置され、前記第一環状空間４６の中には二つの前記環状挟み板６にきつく挟まれたスライドブロック１１が設置され、前記スライドブロック１１の上端には前記押印機構７０を引き動かすことができるロープ１０が固定され、前記第二環状空間５１の前後端壁にはいずれも二つの凸起点が付いている環状突き出し板１３が固定され、前記伝動空間７の中には一端が前記第一環状空間４６の中に位置し、且つもう一端が前記第二環状空間５１の中に位置する液圧ブロック５２が設置され、前記液圧ブロック５２の中には前記液圧ブロック５２の前後端面を貫通した二つの液圧空間５３は設置され、前記液圧空間５３の中には二本の液圧ロッド５１が設置され、二本の前記液圧ロッド５１が圧縮ばね５４によって連結され、左側の前記液圧ロッド５１の一端が前記第一環状空間４６の中に位置し、且つ前記環状挟み板６と接触し、右側の前記液圧ロッド５１の一端が前記第二環状空間５１の中に位置し、且つ前記環状突き出し板１３と接触し、前記伝動輪９が回転することで前記回転車１４を回転連動させ、そしてスライドブロック１１が下降し、前記ロープ１０を介して前記押印機構７０を引き動かして押印を行い、前記環状突き出し板１３の凸起点が右側の前記液圧ロッド５１を前記液圧空間５３の中に押した後、左側の前記液圧ロッド５１が突き出され、そして前記環状挟み板６が前記スライドブロック１１を挟まなくなり、前記押印機構７０が復帰して自動的に上下移動して押印でき、前記伝動空間７の下側には前記伝動機構６９に制御される従動機構６８が設置され、前記スライドブロック１１が毎回上下に運動する過程に、前記従動機構６９の運動を制御して前記押印機構７０に朱油を補充する。
【００２０】
有益なように、前記移動機構７１は前記ベース１の上端面に固定された二つに支え板４５を含み、二つの前記支え板４５の左端の間には止め板４０が固定され、前記支え板４５の中には外部空間に連通した二つの昇降溝４４が形成され、前記昇降溝４４の中には昇降ブロック４３及び前記昇降ブロック４３を復帰させられる昇降ばね４７が設置され、前後二つの前記昇降ブロック４３が従動軸４１を介して連結され、前記従動軸４２の前後両端にはいずれも従動輪４２が固定され、右側の前記従動輪４２の後側には後側の前記昇降ブロック４３の中に位置し、且つ前記従動軸４１と伝動できるように連結された回転モーター５６が設置され、右側の前記支え板４５の上端には紙に印影があるかどうかを検査できる検知器７３が設置されている。
【００２１】
有益なように、前記押印機構７０は外部空間に連通した上げ空間１７を含み、前記上げ空間１７の中には上げブロック１８及び前記上げブロック１８を復帰させられる上げばね１６が設置され、前記上げ空間１７の中には下方に開口した収納空間２０が設置され、前記収納空間２０の中には下端が外部空間に位置する上げロッド２１及び前記上げロッド２１を復帰させられる連結ばね１９が設置され、前記ロープ１０の上端が前記伝動空間７の上端壁と前記上げ空間１７の下端壁とを貫通し、且つ前記上げブロック１８と固定的に連結され、前記上げロッド２１の中には下方に開口した挟み空間２６が設置され、前記挟み空間２６の上端壁の中には押圧空間２５が設置され、前記押圧空間２５の中には押圧板２３及び前記押圧板２３を復帰させられる二つの押圧ばね２４が設置され、前記挟み空間２６の中には押圧ブロック２８が設置され、且つ前記押圧ブロック２８の上端には上端が前記押圧板２３と連結された押圧ロッド２７が固定され、前記挟み空間２６の左右端壁の中にはいずれも前記挟み空間２６に連通したばね空間６７が設置され、前記挟み空間２６の中には下端が外部空間に位置する印鑑５９が設置され、前記ばね空間６７の中には前記印鑑５９を挟める台形ブロック５８及び前記台形ブロック５８を復帰させられる復帰ばね６６が設置され、前記挟み空間２６の左右端壁の中にはいずれも前記挟み空間２６に連通した突き出し空間６５が設置され、前記突き出し空間６５の中には一端が前記挟み空間２６の中に位置し、且つ前記印鑑５９を挟める或いは制限できる台形ロッド６０が設置され、前記突き出し空間６５の中にはまた前記台形ロッド６０を復帰させられる制限ばね６３が設置され、右側の前記突き出し空間６５の下端壁の中には外部空間に連通した押し空間６１が設置され、前記押し空間６１の中には一端が外部空間に位置する押しロッド６２が設置され、前記押しロッド６２の左端には左端がそれぞれ二本の前記台形ロッド６０の一端と連結された二つの鎖６４が設置されている。
【００２２】
有益なように、二つの前記環状挟み板６が前記スライドブロック１１をきつく挟んだ時に、二つの前記環状挟み板６と前記スライドブロック１１との間の摩擦力は前記上げばね１６の弾力より大きく、前記環状挟み板６と前記第一環状空間４６との間の摩擦力は前記伝動輪９に前記環状挟み板６を回転させることに充分であり、前記伝動軸５の後端と前記回転軸１５の後端とにはいずれも摩擦輪７２が設置され、且つ二つの前記摩擦輪７２が互いに接触する。
【００２３】
有益なように、前記従動機構６８は上方に開口した電磁空間３０を含み、前記電磁空間３０の中には磁石板３１及び前記磁石板３１と吸引し合う電磁石２２が設置され、前記磁石板３１の上側には上端が前記伝動空間７の中に位置する移動ブロック５２が設置され、前記移動ブロック５２の中には上方に開口した位置制限溝３３が形成され、前記伝動空間７の下端壁には上端が前記第一環状空間４６の中に位置する固定ロッド４８が固定され、前記固定ロッド４８の下端には前記固定ロッド４８を貫通し、且つ前記固定ロッド４８とスライドできるように連結されたスライドロッド４９が設置され、前記スライドロッド４９の左端には上端が前記第一環状空間４６の中に位置するスライド板４が固定され、前記固定ロッド４８の上端には右端が前記伝動空間７の中に位置する固定板１２が固定され、前記固定板１２の右端の中には前記固定板１２を貫通し、且つ下端が前記位置制限溝３３の中に位置する位置制限ロッド３４が設置され、前記位置制限ロッド３４の上端には上端が前記固定板１２を貫通し、且つ前記スライドロッド４９の右端と連結された細紐３が固定され、前記電磁空間３０の下端壁の中には外部空間に連通した平行移動空間３２が設置され、前記平行移動空間３２の中には平行移動ブロック３５及び前記平行移動ブロック３５を復帰させられる平行移動ばね３７が設置され、前記平行移動ブロック３５の左端には左端が前記移動ブロック５２の右端と連結された鋼線３６が固定され、前記平行移動ブロック３５の下端には下端が外部空間に位置する平行移動ロッド３８が固定され、前記平行移動ロッド３８の下端には朱肉が置かれた平行移動板３９が固定されている。
【００２４】
本願発明装置全体の機械的な動作の順序は以下の通りである。
【００２５】
１．紙を二つの支え板４５の間に入れ、印鑑５９の上端を挟み空間２６の中に押し、そして押圧ブロック２８を上方に運動させ、そして押圧ロッド２７と押圧板２３とを上方に運動させ、そして押圧ばね２４を引っ張り、押圧ブロック２３が台形ブロック５８と接触しなくなる時、台形ブロック５８は復帰ばね６６の作用下で突き出され、且つ印鑑５９をきつく挟み、それと同時に台形ロッド６０は制限ばね６３の作用下で突き出され、そして台形ロッド６０が印鑑５９をきつく挟む或いは制限する。
【００２６】
２．モーター４７が作動することで伝動軸５を回転させ、そして伝動輪９を駆動して回転させ、そして回転車１４と回転軸１５とを駆動して回転させ、回転輪９の回転はスライドブロック１１を回転させ、そしてスライドブロック１１を下方に運動させ、そしてロープ１０を引き動かし、そして上げブロック１８を駆動して下方に運動させ、上げばね１６が引っ張られ、そして上げロッド２１を下方に運動させ、そして印鑑５９を下方に運動させ、紙に印鑑を押す。
【００２７】
３．伝動輪９の回転はスライドブロック１１を回転させ、スライドブロック１１が一番下側に回転した時にスライド板４を駆動して右方に等速運動させ、そしてスライドロッド４９を駆動して右方に運動させ、そして細紐３を引き動かし、そして位置制限ロッド３４を上方に運動させ、スライドブロック１１がスライド板４と接触した時に、環状突き出し板１３にある凸起点は第二環状空間５１の中に位置する液圧ロッド５１と接触して右側の液圧ロッド５１を液圧空間５３の中に押し、そして左側の液圧ロッド５１が液圧の作用下で第一環状空間４６の中へ運動し、そして環状挟み板６を駆動してスライドブロック４から離脱させ、そして上げブロック１８は上げばね１６の作用下で復帰し、そしてスライドブロック１１が復帰し、且つ第一環状空間４６の一番上側に位置し、スライドブロック１１が一回スライド板４と接触すると、スライド板４をスライドロッド４９が移動ブロック５２と接触するまで右方に運動させられない。
【００２８】
４．上げブロック１８が上方に運動する時に、検知器７３が作動し、押印し終わったことを検査した後、検知器７３は回転モーター５６を作動させ、従動輪４２を駆動して回転させ、そして一番上側にある押印し終わった紙が右方に運動し、押印し終わった紙が離れた後に回転モーター５６が作動しなくなる。
【００２９】
５．スライドブロック１１がスライド板４と複数回接触した後にスライドロッド４９を駆動して移動ブロック５２と接触させ、この時、位置制限ロッド３４が位置制限溝３３から離れ、そして平衡移動ブロック３５が平衡移動ばね３７の作用下で右方に運動し、そして平衡移動板３９が上げロッド２１の左端と接触し、押印機構７０は伝動機構６９の制御によって再び復帰した時、平衡移動板３９が平行移動ばね３７の作用下で印鑑５９の下側に移動し、この時、伝動機構６９が正常に作動し、押印機構７０が再び下降し、そして印鑑５９を平衡移動板３９と接触させ、そして連結ばね１９を圧縮し、押印機構７０は伝動機構６９の作用下で復帰した時、電磁石２２が作動して磁石板３１と反発し、そして移動ブロック５２の上端が回転車１４の下端と噛み合い、そして回転車１４の回転とともに移動ブロック５２が復帰し、そして平行移動板３９と平行移動ブロック３５とが復帰する。
【００３０】
６．移動ブロック５２が回転車１４の連動によって復帰した時、スライドブロック１１はまだ一番下側に着いていなく、移動ブロック５２が一番左側に運動した時、スライドロッド４９とスライド板４とを駆動して復帰させ、そして位置制限ロッド３４が下降して再び位置制限溝３３の中に入り、この時、電磁石２２が作動しなくなり、そして磁石板３１と移動ブロック５２とが下降し、そして移動ブロック５２が回転車１４から離脱し、そして平行移動ばね３７は位置制限ロッド３４が位置制限溝３３の左端壁と接触するまで復帰し、そして平衡移動ばね３７が復帰しなくなり、従動機構６８は復帰を完成し、本願発明装置はすべての紙に印鑑を押すまで作動し続けて押印する。
【００３１】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【図１】
2020199756.tif 000003
【図２】
2020199756.tif 000004
【図３】
2020199756.tif 000005
【図４】
2020199756.tif 000006
【図５】
2020199756.tif 000007
【図６】
2020199756.tif 000008
【図７】
2020199756.tif 000009